(57)【特許請求の範囲】
【請求項１】
通信機器を接続するポートを有し、前記ポートに接続される通信機器をＩＳＤＮ回線に接続するＩＳＤＮ通信装置において、
前記通信機器から送信される通信要求信号を受信し、前記受信した通信要求信号に基づいて、通信チャネルの空き待ち要求を行った通信機器を特定するための情報を通信要求情報として記憶する記憶手段と、
前記ＩＳＤＮ回線に空きがあるか否かを検出するＩＳＤＮ網空き状態監視手段と、
前記ＩＳＤＮ網空き状態監視手段の検出結果に基づいて、ＩＳＤＮ回線に空きがない場合に通信チャネルの空き待ちが発生していることをインカミングトーンによって使用中の通信機器に通知する第１の通知手段と、
前記第１の通知手段が通知を行った後、ＩＳＤＮ回線に空きが発生した場合に前記記憶手段に記憶された通信要求情報に基づいて通信チャネルの空き待ち要求を行った前記通信機器に通信可能であることを通知する第２の通知手段と、
を有することを特徴とするＩＳＤＮ通信装置。
【請求項２】
前記通信機器は電話機であることを特徴とする請求項１記載のＩＳＤＮ通信装置。
【請求項３】
前記通信機器は情報機器端末であることを特徴とする請求項１記載のＩＳＤＮ通信装置。
【発明の詳細な説明】
【０００１】
【発明の属する技術分野】
この発明は、複数の通信機器が少なくとも１つの回線を利用して通信を行うＩＳＤＮ（サービス総合デジタル網）通信装置に関するものである。
【０００２】
【従来の技術】
従来より、ＩＳＤＮ回線を利用して通信が行われている。このＩＳＤＮ回線は、２つのＢチャネルと、１つのＤチャネルからなる３つの通信チャネルを有し、最高２つまでのＩＳＤＮ端末が接続される。そして、Ｂチャネルが空いている場合に、各ＩＳＤＮ端末からの通信要求に応じて通信を行うことが可能である。
【０００３】
【発明が解決しようとする課題】
しかしながら、上述した技術においては、１本のＩＳＤＮ回線のうち２つのＢチャネルが使用されているときに発呼したい場合、ユーザは、電話機やデータポートのオフ／オンフックを繰り返し、１つのＢチャネルが空いているか否かを確認しなければならず、ユーザにも機器にも余計な手間がかかり繁雑であった。
また、従来技術においては、ＩＳＤＮ通信装置の近くに接続しているそれぞれの端末がある場合、ユーザにＢチャネルを１つ空けてもらえるように声をかけることが出来るが、近くにない場合は使用中にユーザを捜し出さなければならないという問題があった。
【０００４】
本発明はこのような事情に鑑みてなされたもので、その目的は、通信チャネルの空き待ちをしていることを使用中のＩＳＤＮ機器に通知することができるＩＳＤＮ通信装置を提供することにある。
【０００５】
上記目的を達成するために、本発明のＩＳＤＮ通信装置は、通信機器を接続するポートを有し、前記ポートに接続される通信機器をＩＳＤＮ回線に接続するＩＳＤＮ通信装置において、前記通信機器から送信される通信要求信号を受信し、前記受信した通信要求信号に基づいて、通信チャネルの空き待ち要求を行った通信機器を特定するための情報を通信要求情報として記憶する記憶手段と、前記ＩＳＤＮ回線に空きがあるか否かを検出するＩＳＤＮ網空き状態監視手段と、前記ＩＳＤＮ網空き状態監視手段の検出結果に基づいて、ＩＳＤＮ回線に空きがない場合に通信チャネルの空き待ちが発生していることをインカミングトーンによって使用中の通信機器に通知する第１の通知手段と、前記第１の通知手段が通知を行った後、ＩＳＤＮ回線に空きが発生した場合に前記記憶手段に記憶された通信要求情報に基づいて通信チャネルの空き待ち要求を行った前記通信機器に通信可能であることを通知する第２の通知手段と、を有することを特徴とする。
【０００６】
また、本発明は、上述したＩＳＤＮ通信装置において、前記通信機器は電話機であることを特徴とする。
【０００７】
また、本発明は、上述のＩＳＤＮ通信装置において、前記通信機器は情報機器端末であることを特徴とする。
【０００８】
【発明の実施の形態】
以下、本発明の一実施形態によるＩＳＤＮ通信装置を図面を参照して説明する。
図１は、この発明の一実施形態によるＩＳＤＮ通信装置の構成を示す概略ブロック図である。
この図において、ＩＳＤＮ通信装置４は、通信機器である電話機１〜電話機３とＩＳＤＮ網１４との間に接続される。電話機インタフェース部５は、通信機器を接続するための複数のポートを有する。このポートは、例えば、アナログポートであり、電話機インタフェース部５の外部にポート５−１、ポート５−２、ポート５−３が設けられる。
【０００９】
ポート選択記憶部６は、通信機器から送信される通信要求信号に基づいて、通信チャネルの空き待ち要求を行った通信機器を特定するための情報を通信要求情報としてを記憶する。この通信要求情報は、例えば、通信チャネルの空き待ち要求を行った通信機器が接続されたポートを特定するための情報である。
通信要求信号は、例えば、電話機に設けられたプッシュボタンを押下したときに電話機から送出されるＭＦ（Ｍｕｌｔｉ  Ｆｒｅｑｕｅｎｃｙ）信号である。
【００１０】
ＭＦ受信部７は、ポート選択記憶部６から出力されるＭＦ信号を受信する。
参照部８は、Ｂチャネルの空き待ちを示すＭＦ信号の信号成分のデータが記憶されており、ＭＦ受信部７が受信したＭＦ信号の信号成分と予め記憶された信号成分のデータを比較する。
ＩＳＤＮ網空き状況監視部１０は、ＩＳＤＮインタフェース部１２に接続されたＩＳＤＮ回線に空きがあるか否かを検出する。また、ＩＳＤＮ網空き状況監視部１０は、パス１３を介してＩＳＤＮインタフェース部１２に接続される。
【００１１】
トーン送出部１１は、ＩＳＤＮ網空き状態監視部１０の検出結果に基づいて、ＩＳＤＮ回線に空きがない場合に通信チャネルの空き待ちが発生していることを使用中の通信機器にインカミングトーンを送出することによって通知する。ここで、インカミングトーンとは、通話中の音声に混合させて送出する音声のことをいう。
【００１２】
また、トーン送出部１１は、通信チャネルの空き待ちが発生していることを使用中の通信機器に通知した後、ＩＳＤＮ回線に空きが発生した場合にポート選択記憶手段に記憶された通信要求情報に基づいて、通信チャネルの空き待ち要求を行った通信機器に通信可能であることを通知する。例えば、この通知は、通信チャネルの空き待ち要求を行ったポートに接続された電話機に対して行われる。
【００１３】
制御部９は、Ｂチャネルに空きがない場合に、ビジートーンを出力する。ＩＳＤＮインタフェース部１２は、ＩＳＤＮ網１４とパス１３とを接続する。
【００１４】
次に、図１の構成におけるＩＳＤＮ通信装置４の動作について、図２に示すフローチャートを参照して説明する。ここでは、電話機２および電話機３がそれぞれＢチャネルを１つずつ使用している状態（チャネルに空きがない状態）において、電話機１が発呼する場合について説明する。
まず、使用者によって電話機１の受話器が持ち上げられると、電話機２と電話機３がそれぞれＢチャネルを１つずつ使用しており、パス１３に空きがないので、制御部９は、電話機インタフェース部５を介して電話機１にビジートーンを送出し（ステップＳ１）、発呼ができないことを通知する。
【００１５】
次に、電話機１の使用者は、通話回線（Ｂチャネル）の空き待ちであることを他の電話機の使用者に通知したい場合、Ｂチャネルの空き待ちであることを通知するための予め設定されたプッシュボタンを押下し（ステップＳ２）、押下の後に受話器を戻し、オンフックの状態にする。
【００１６】
電話機１の使用者によって、電話機１からＭＦ信号が出力されると、ポート選択記憶部６は、ＭＦ信号が出力されたポート（ポート５−１）の情報を通信要求ポート情報として記憶したのち、このＭＦ信号をＭＦ受信部７に出力する。ＭＦ受信部７は、ポート選択記憶部６から出力されたＭＦ信号を受信した後、このＭＦ信号を参照部８に出力する。参照部８は、ＭＦ受信部７から出力されるＭＦ信号の信号成分と予め記憶された信号成分のデータを比較し、Ｂチャネルの空き待ちを示すＭＦ信号であるか否かを検出する（ステップＳ３）。
【００１７】
参照部８は、ＭＦ受信部７から出力されるＭＦ信号の信号成分と予め記憶された信号成分のデータとが一致しない場合、Ｂチャネルの空き待ちを示すＭＦ信号ではないものとしてＭＦ信号を破棄する（ステップＳ４）。
【００１８】
一方、ＭＦ受信部７から出力されるＭＦ信号の信号成分と予め記憶された信号成分のデータとが一致する場合、参照部８は、Ｂチャネルの空き待ち状態であることを検出し、ＩＳＤＮ網空き状況監視部１０に通信チャネルの空き状況を検出する指示を行う。
【００１９】
ＩＳＤＮ網空き状況監視部１０は、ＩＳＤＮインタフェース部１２にて、ＩＳＤＮ回線に空きがあるか否かを検出し、ＩＳＤＮ回線の使用状況の監視を開始する（ステップＳ５）。さらに、ＩＳＤＮ網空き状況監視部１０は、通話中の電話機２〜電話機３に通信チャネルの空き待ちをしているポートがあることを知らせるために、トーン送出部１１に予め決められたトーンを通話中の電話機２〜３に送出するよう指示する。
【００２０】
トーン送出部１１は、ＩＳＤＮ網空き状況監視部１０からの指示を受けると、ポート選択記憶部６に記憶された通信要求ポート情報に基づいて、通信要求を行った以外の電話機すなわち電話機２〜３にインカミングトーンを予め決められた回数だけ周期的に繰り返し送出する（ステップＳ６）。このインカミングトーンによって通話中のユーザに通話チャネルの空き待ちが発生していることが通知される。
【００２１】
他方、ＩＳＤＮ網空き状況監視部１０は、ＩＳＤＮインタフェース部１２にてＩＳＤＮ回線に空きがあるか否かの検出を行い（ステップＳ７）、電話機２または電話機３のいずれかがオンフックされ、ＩＳＤＮ回線に空きがあることを検出すると、空きがあることを通知するトーンを送出するようにトーン送出部１１に指示をする。
【００２２】
トーン送出部１１は、ポート選択記憶部６に記憶された通信要求ポート情報に基づき、ポート５−１に接続された電話機１に予め決められた回数のリンガをならすようにトーンを送出する。電話機１は、オンフックされているので、トーン送出部１１からのトーンを受けてリンガを鳴らして、通信チャネルが空いたことをユーザに通知する（ステップＳ８）。
ＩＳＤＮ網空き状況監視部１０は、決められた回数のリンガを鳴らすようトーン送出部１１に指示すると、ＩＳＤＮインタフェース部１２の監視を終了する（ステップＳ９）。
【００２３】
他方、インカミングトーンが送出された後、所定時間を経過しても通信チャネルが空かなかった場合、ＩＳＤＮ網空き状況監視部１０は、ＩＳＤＮインターフェース部１２の状況が変わらない、つまり、ＩＳＤＮ回線が空かなかったとして監視を終了する（ステップＳ１０）。このとき、トーン送出部１１にインカミングトーンを送出する指示なされないので、電話機１のリンガは鳴らない。
【００２４】
以上説明した実施形態において、ＩＳＤＮ通信装置４のアナログポートに電話機１〜電話機３ではなくモデムが接続されている場合、ＩＳＤＮ通信装置４のベアラ種別を「電話機」設定から「ＦＡＸ／モデム」設定に変更する。この時、「ＦＡＸ／モデム」設定がなされたポートに通信チャネルの空き待ちを知らせるインカミングトーンはトーン送出部１１から出力されない。さらに、モデムで２つのＢチャネルが使用されている場合、ＩＳＤＮ網空き状況監視部１０は、ＩＳＤＮインタフェース部１２の状況が変わらない（通信チャネルに空きがない）として監視を終了する。このためトーン出力部１１にインカミングトーンの送出指示がなされないので通信チャネルの空きを待っている電話機１のリンガは鳴らない。
【００２５】
次に、第２の実施形態について図面を用いて説明する。図３は、第２の実施形態におけるＩＳＤＮ通信装置４の構成を示す概略ブロック図である。この図において図１の各部に対応する部分には同一の符号を付け、その説明を省略する。
第１の実施形態において、Ｂチャネルの空き待ちの要求をした電話機１のリンガを鳴らすようにしたが、この実施形態においては、ＩＳＤＮ通信装置４にＵＳＢ（Ｕｎｉｖｅｒｓａｌ  Ｓｅｒｉａｌ  Ｂｕｓ）などのデータインタフェース部１６を設け、このデータインタフェース部１６に接続されるコンピュータによって通知する場合について説明する。
【００２６】
制御部９は、現在２つのＢチャネルを使用している通信機器が、アナログポートに接続された電話機１〜３か、それともデータインタフェース部１６に接続される通信機器であるかを検出する。この検出は、アナログポートからの呼設定と情報機器端末１７からの呼設定を常に把握しており、それぞれの呼設定の情報転送能力（音声／３．１KHzオーディオまたは非制限デジタル）を検知することによって行われる。
【００２７】
ＩＳＤＮ網空き状況監視部１０−１は、ＩＳＤＮ回線に空きがあるか否かの検出を行い、検出結果をＰＣ確認用制御部１５に出力する。
ＰＣ確認用制御部１５は、制御部９とＩＳＤＮ網空き状況監視部１０−１に接続されており、データインタフェース部１６を介してＩＳＤＮ通信装置４に接続された情報機器端末１７にＢチャネルが空いたことを通知する。
データインタフェース部１６は、情報機器端末１７を接続するためのデジタルポートを有する。なお、図３では、データインタフェース部１６に１台の情報機器端末１７が接続されている場合について図示されているが、データインタフェース部１６に複数のデジタルポートを設け、複数の情報機器端末１７を接続するようにしてもよい。
情報機器端末１７は、Ｂチャネルが空いたことをＩＳＤＮ通信装置４から通知された場合に、Ｂチャネルが空いたことをポップアップメニュー等で画面上に表示するユーティリティソフトが予めインストールされている。
【００２８】
次に、図３の構成におけるＩＳＤＮ通信装置４の動作について説明する。この実施形態における動作は、基本的に第１の実施形態における動作と同様であるので、第１の実施形態と異なる部分について説明する。
【００２９】
まず、使用者によって電話機１の受話器が持ち上げられると、制御部９によって電話機インタフェース部５を介して電話機１にビジートーンが送出され、以下第１の実施形態で説明した図２ステップＳ７までの動作と同様の処理が行われる。
そして、図２のステップＳ８において、ＩＳＤＮ網空き状況監視部１０−１は、ＰＣ確認用制御部１５に１つのＢチャネルが空いたことを通知する。ＰＣ確認用制御部１５は、データインタフェース部１６を介して情報機器端末１７に通信チャネルが空いたことを通知する。情報機器端末１７は、通信チャネルが空いたことを通知されると、通信チャネルが空いたことを示すポップアップメニューを画面上に表示させる。
【００３０】
なお、このＩＳＤＮ網空き状況監視部１０−１は、１Ｂ空きを要求するＭＦ信号をＭＦ受信部７が受信したときからＩＳＤＮインタフェース部１２の監視を開始し、ＰＣ確認用制御部１５が１Ｂ空きをデータインタフェース部１６に通知すると監視を終了する。
このように、電話機１から空き待ち要求がなされたときに情報機器端末１７によってＢチャネルが空いたことを通知することによって、例えば、電話機１のユーザが、空き待ち要求を行った後で、電話機１の側から離れ、情報機器端末１７を使用して作業を行っている場合においても、通信チャネルが空いたことを把握することができる。
【００３１】
次に、第３の実施形態について説明する。この実施形態においては、情報機器端末１７がＩＳＤＮ通信装置４のデータインタフェース部１６に接続され、さらに、情報機器端末１７がパス１３を利用してＩＳＤＮインタフェース部１２から２つのＢチャネルを使用している時、電話機１から発呼を行う場合の動作について図３を用いて説明する。
【００３２】
まず、図３において、電話機１のユーザが発呼を行いたい場合は、１つのＢチャネルの空き待ちをすることを現在使用している情報機器端末１７のユーザに通知するため、予め決められたＭＦ信号を電話機１から送出する。この送出は、電話機１の予め決められたプッシュボタンを押下することにより行われれる。
【００３３】
第１の実施形態においては、通話中の電話機２〜電話機３にトーン送出部１１からインカミングトーンが送出されるが、この第３の実施形態では、ＩＳＤＮの使用状況を監視しているＩＳＤＮ網空き状況監視部１０−１がＰＣ確認用制御部１５に、Ｂチャネルの空き待ち要求が発生していることを示す信号を出力する。ＰＣ確認用制御部１５は、データインタフェース部１６を介して情報機器端末１７にＢチャネルの空き待ちをしているユーザがいることを通知する。この通知動作において、ＰＣ確認用制御部１５は、情報機器端末１７が、例えば、ＵＳＢ等を利用して２つのＢチャネルによって通信中の場合、アウトバンド（Ｄチャネル）を利用して通知する。
【００３４】
次に、情報機器端末１７は、予めインストールされているＩＳＤＮ通信装置４のユーティリティの機能の一つを用いて、Ｂチャネルの空き待ちのユーザがいることをポップアップメニューなどによってデータ通信中のユーザ（情報機器端末１７のユーザ）に通知する。そして、情報機器端末１７のユーザは、Ｂチャネルの空き待ちをしているユーザがいることを知る。
【００３５】
次に、情報機器端末１７のユーザによって、２つのＢチャネルを使用するデータ通信から１つのＢチャネルを使用するデータ通信に切り替えられると、ＩＳＤＮインタフェース部１２を監視していたＩＳＤＮ網空き状況監視部１０−１は、１つのＢチャネルが空いたことを検出する。そして、ＩＳＤＮ網空き状況監視部１０−１は、トーン送出部１１にリンガを送出するよう指示する。
【００３６】
次に、トーン送出部１１は、ポート選択記憶部６に記憶された通信要求ポート情報に基づき、ポート５−１に接続された電話機１に予め決められた回数のリンガをならすようにトーンを送出する。これにより、電話機１のユーザは、１つのＢチャネルが空いたことを知ることが出来る。ＩＳＤＮ網空き状況監視部１０−１は、第１の実施形態と同様に、１つのＢチャネルの空き待ちを指示するＭＦ信号をＭＦ受信部７が受信したときからＩＳＤＮインタフェース部１２の監視を開始し、リンガ送出部１１に電話機１にリンガを送出するように指示を出すと監視を終了する。
【００３７】
なお、情報機器端末１７のデータ通信で１つのＢチャネル、電話機１で１つのＢチャネルを使用中に他ポートの電話機で発信する場合、前述した動作と同様に情報機器端末１７の画面上にポップアップの表示をし、電話機１にはリンガを鳴らすことによって、通信チャネルの空き待ちを通知する。
【００３８】
次に、第４の実施形態について説明する。この実施形態においては、電話機１〜電話機２がパス１３を使って２つのＢチャネルを使用して通信を行っているとき、情報機器端末１７から発呼を行いたい場合について、図３のブロック図および図４のフローチャートを用いて説明する。
【００３９】
まず、情報機器端末１７のユーザによって、発呼を行う指示が入力されると、ＰＣ確認用制御部１５は、データインタフェース部１６を介して発呼を行う指示を受信する。発呼を行う指示が入力されると、ＰＣ確認用制御部１５は、Ｂチャネルに空きがあるか否かの使用状況を検出する指示をＩＳＤＮ網空き状況監視部１０−１に行う。ＩＳＤＮ網空き状況監視部１０−１は、Ｂチャネルの使用状況の検出を行い、Ｂチャネルに空きがない場合、Ｂチャネルが使用中であることをＰＣ確認用制御部１５に通知する。ＰＣ確認用制御部１５は、ＩＳＤＮ網空き状況監視部１０−１からの通知を受けて、２つのＢチャネルが使用中であることをデータインタフェース部１６を介して情報機器端末１７に通知する。情報機器端末１７は、ＰＣ確認用制御部１５からの通知を受けて、２つのＢチャネルが使用中であることを画面上に表示する（ステップＳ２１）。
【００４０】
次に、情報機器端末１７のユーザは、発呼を行いたい場合、１つのＢチャネルの空き待ちをしていることを電話機１〜電話機２のユーザに通知するため情報機器端末１７に予めインストールされているユーティリティを起動する（ステップＳ２２）。
【００４１】
そして、ユーティリティが起動された後、通信チャネルの空き待ちを指示するためのメニューが画面上に表示された後（ステップＳ２３）、情報機器端末１７のユーザによって、予め決められた手順で通信チャネルの空き待ち要求がユーティリティ上から入力される。ここで、ユーティリティだけでなくターミナルソフトを用いてＡＴコマンドによる入力をしても構わない。
【００４２】
そして、ＰＣ確認用制御部１５は、１つのＢチャネルの空き待ち要求を受けると、発呼を行った情報機器端末１７を特定するための情報を通信要求情報として一時保持し、ＩＳＤＮ網空き状況監視部１０−１に空き待ち要求を送出する。
ＩＳＤＮ網空き状況監視部１０−１は、ＰＣ確認用制御部１５からの空き待ち要求を受けて、ＩＳＤＮインタフェース部１２にてＩＳＤＮ回線の使用状況を把握するために監視を開始し（ステップＳ２４）、Ｂチャネルに空きがあるか否かの検出を行う。
【００４３】
Ｂチャネルに空きがない場合、通話中の電話機２〜電話機３に１つのＢチャネルの待ちをしているユーザがいることを知らせるために、ＩＳＤＮ網空き状況監視部１０−１は、制御部９に現在Ｂチャネルを使用している通信機器を検出する指示をする。制御部９は、現在Ｂチャネルを使用している機器の情報転送能力に基づいて検出し、検出結果をＩＳＤＮ網空き状況監視部１０−１に出力する。このとき検出されるのは、電話機２、電話機３である。
【００４４】
制御部９から検出結果が出力されると、ＩＳＤＮ網空き状況監視部１０−１は、トーン送出部１１に決められたトーンを通話中の電話機２〜電話機３に送出するよう指示する。これを受けたトーン送出部１１は、例えば、インカミングトーンを通話中の電話機２〜電話機３に送出する（ステップＳ２５）。このインカミングトーンは、予め設定された回数に応じて送出される。このインカミングトーンによって、電話機２〜電話機３のユーザは通信チャネルの空き待ちをしているユーザがいることを知る。そして、このインカミングトーンを受けたユーザによって電話機２または電話機３がオンフックされると、ＩＳＤＮ網空き状況監視部１０−１は、ＩＳＤＮインタフェース部１２にてＢチャネルが空いたことを検出する（ステップＳ２６）。
【００４５】
そして、ＩＳＤＮ網空き状況監視部１０−１は、Ｂチャネルが空いたことをにＰＣ確認用制御部１５に通知する。これを受けてＰＣ確認用制御部１５は、一時保持していた通信要求情報に基づいて、データインタフェース部１６を介して情報機器端末１７にＢチャネルが空いたことを通知する。情報機器端末１７は、ユーティリティを使用してＢチャネルが空いたことをポップアップメニューで通信チャネルの空き待ちをしているユーザに通知する（ステップＳ２７）。
【００４６】
ＩＳＤＮ網空き状況監視部１０−１は、１Ｂを要求する情報機器端末１７の指示をＰＣ確認用制御部１５から受信したときからＩＳＤＮインタフェース部１２の監視を開始し、ＰＣ確認用制御部１５が１Ｂ空いたことを情報機器端末１７に指示すると監視を終了する（ステップＳ２８）。
【００４７】
一方、ステップＳ２４において、ＩＳＤＮ網空き状況監視部１０−１は、インカミングトーンの送出指示をトーン送出部１１に行った後、所定の時間が経過してもＢチャネルに空きがない場合、ＩＳＤＮインターフェース部１２の状況が変わらない、つまり、回線が空かなかったとして監視を終了する（ステップＳ２９）。このとき、ＩＳＤＮ網空き状況監視部１０−１からＰＣ確認用制御部１５に通信チャネルに空きがあることの指示がなされないので、情報機器端末１７のユーティリティにポップアップメニューは表示されない。
【００４８】
以上説明した実施形態においては、１つのＢチャネルの空き待ちの場合について述べたが、２つのＢチャネルの空き待ちの場合および１つのＢチャネルの空き待ちのところを使用中の２つのＢチャネルが空いた場合についても同様にリンガやポップアップメニューで知らせるようにしてもよい。この場合、２つのＢチャネルの空き待ちのインカミングトーンやポップアップメニュー、２つのＢチャネルが空いたことを知らせるリンガやポップアップメニューは、１つのＢチャネルが空いた場合のそれとは変更して区別するようにしてもよい。
【００４９】
また、データインタフェース部１６がＵＳＢポートである場合、接続している情報機器端末１７の他にＨＵＢを利用して他の情報機器端末１７′を接続するようにしてもよい。この場合、情報機器端末１７をホストとして使用できれば他の情報機器端末１７′にも同じ内容が見えるため、例えば、電話機３をＩＳＤＮ通信装置４から離れた場所に設置したとしても、ＵＳＢポートに接続されている情報機器端末１７′を電話機３の近くに設置すれば、情報機器端末１７の画面上に表示されるポップアップメニューを確認することが出来る。これにより、電話機３がＩＳＤＮ通信装置４から離れた場所に設置された場合においても、電話機３を利用しているユーザに通信チャネルの空き待ちが発生していることを通知することができる。
【００５０】
また、図１におけるＩＳＤＮ通信装置４の各部の機能を実現するためのプログラムをコンピュータ読み取り可能な記録媒体に記録して、この記録媒体に記録されたプログラムをコンピュータシステムに読み込ませ、実行することによりＩＳＤＮ回線の接続処理を行ってもよい。なお、ここでいう「コンピュータシステム」とは、ＯＳや周辺機器等のハードウェアを含むものとする。
【００５１】
また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態を図面を参照して詳述してきたが、具体的な構成はこの実施形態に限られるものではなく、この発明の要旨を逸脱しない範囲の設計等も含まれる。
【００５２】
【発明の効果】
以上説明したように、この発明によれば、通信機器から送信される通信要求信号に含まれる通信要求情報を記憶しておき、ＩＳＤＮ回線に空きがない場合に通信チャネルの空き待ちが発生していることを使用中の通信機器にインカミングトーンによって通知し、この通知を行った後、ＩＳＤＮ回線に空きが発生した場合に記憶された通信要求情報に基づいて通信チャネルの空き待ち要求を行った通信機器に通信可能であることを通知するようにした。これにより、通信チャネルの空き待ちが発生していることをＩＳＤＮ回線を使用中のユーザを探すことなく通知することができ、さらに、ＩＳＤＮ回線に空きが発生したことをＩＳＤＮ回線の空き待ちを行っているユーザに通知することができるので、ＩＳＤＮ回線の使用効率を高めることができ、ＩＳＤＮ回線に空きがあるか否かを確認する作業を簡単にすることができる効果が得られる。
【図面の簡単な説明】
【図１】  この発明の一実施形態によるＩＳＤＮ通信装置４の構成を示す概略ブロック図である。
【図２】  図１の構成におけるＩＳＤＮ通信装置４の動作について説明するためのフローチャートである。
【図３】  他の実施形態におけるＩＳＤＮ通信装置４の構成を示す概略ブロック図である
【図４】  第４の実施形態におけるＩＳＤＮ通信装置４の動作について説明するためのフローチャートである。
【符号の説明】
１〜３  電話機                      ４  ＩＳＤＮ通信装置
５  電話機インタフェース部          ５−１〜５−３  ポート
６  ポート選択記憶部                ７  ＭＦ受信部
８  参照部                          ９  制御部
１０、１０−１  ＩＳＤＮ網空き状況監視部
１１  トーン送出部                  １４  ＩＳＤＮ網
１５  ＰＣ確認用制御部              １６  データインタフェース部
１７  情報機器端末
【図１】
0003637868.tif 000002
【図２】
0003637868.tif 000003
【図３】
0003637868.tif 000004
【図４】
0003637868.tif 000005